(57)【特許請求の範囲】
【請求項１】
原稿を自動的に搬送してその画像を読み取る原稿読取手段と、画像を読み取った後に排出された原稿が収容される原稿収容手段と、前記原稿読取手段において画像を読み取った原稿の大きさを検出し、その原稿の大きさが所定の設定値以下である場合に、前記原稿収容手段からの原稿の取り忘れに対する警告を報知手段により報知し、前記原稿の大きさが所定の設定値より大きい場合には、前記原稿収容手段からの原稿の取り忘れに対する警告を報知しないようにする制御を行う制御手段とを備えることを特徴とする原稿読取装置。
【請求項２】
前記所定の設定値は、前記原稿収容手段に収容された原稿が、前記原稿読取手段による読み取り前の原稿が載置される原稿載置手段により隠れる大きさに基づいて定めた値とすることを特徴とする請求項１記載の原稿読取装置。
【発明の詳細な説明】
【０００１】
【発明の属する技術分野】
本発明は、例えば、コピー機、ファクシミリ装置、又はイメージスキャナ等のように原稿の画像を読み取る原稿読取装置に関し、読み取り後の原稿の取り忘れを防止するための技術に関する。
【０００２】
【従来の技術】
従来のコピー機においては、読み取り後の原稿の取り忘れを防止するために、自動原稿送り装置において読み取り後の原稿が排出される原稿排出トレーに、原稿が残っていることを検知するセンサを備え、読み取り対象の原稿がすべて原稿受けに移動されて収容されたことを検知した後、前記センサが原稿を検知した状態のまま所定時間が経過した時点で、スピーカ等により原稿の取り忘れを報知する技術が開示されている（例えば、特許文献１参照）。
【０００３】
また、従来のファクシミリ装置においては、送信後の原稿の取り忘れを防止するために、送信された原稿は、読取装置が読取った後、原稿排出トレーに排出され、原稿検出センサが原稿を検知すると、ＣＰＵは音声合成回路を制御し、スピーカを駆動して原稿の回収メッセージを報知し、さらに、ＮＣＵが回線の切断処理を行った後、原稿排出トレーの原稿の有無をセンサにより検知して、ＣＰＵは音声合成回路を制御し、スピーカを駆動して再び、原稿の回収メッセージを報知するか、送信終了メッセージを報知する技術が開示されている（例えば、特許文献２参照）。
【０００４】
【特許文献１】
特開平８−８７１４１号公報（第６−８頁、第３図）
【特許文献２】
実開平５−９０６６号公報（第１頁、第３図）
【０００５】
【発明が解決しようとする課題】
しかしながら、これらの従来のコピー機やファクシミリ装置では、原稿排出トレーに設けられたセンサにより読み取り後の原稿の有無を検知し、その検知結果に基づいて原稿の取り忘れに対する警告を報知する構成となっているため、原稿排出トレーに読み取り後の原稿の有無を検知するための１又は２以上のセンサを必ず配置することを要する。また、原稿の大きさに関係なく、センサの検知結果に基づいて一定のタイミングで原稿の取り忘れに対する警告を報知することから、そのような警告を報知する必要がない場合にまでそれが行われるという問題がある。すなわち、原稿の大きさが十分に大きい場合であって、読み取り前の原稿を載置する原稿載置台等の装置の他の部分により原稿が隠れることがなく、原稿排出トレー上における読み取り後の原稿の有無が一目で明らかに分かるような場合にまで、原稿の取り忘れに対する報知が行われることとなり無駄である。
【０００６】
本発明は、上記課題に鑑みてなされたものであり、読み取り後の原稿の取り忘れを防止するための報知手段を備えた原稿読取装置において、原稿排出トレー等の読み取り後の原稿を収容する原稿収容手段にセンサを設けないことを可能とするとともに、前記原稿収容手段に収容された読み取り後の原稿の有無が一目でわかる場合にまで原稿の取り忘れに対する警告を報知するような無駄な報知を行わないことを可能とすることを技術課題とするものである。
【０００７】
【課題を解決するための手段】
上記技術課題を解決するための具体的手段は、次のようなものである。すなわち、請求項１に記載する原稿読取装置は、原稿を自動的に搬送してその画像を読み取る原稿読取手段と、画像を読み取った後に排出された原稿が収容される原稿収容手段と、前記原稿読取手段において画像を読み取った原稿の大きさを検出し、その原稿の大きさが所定の設定値以下である場合に、前記原稿収容手段からの原稿の取り忘れに対する警告を報知手段により報知し、前記原稿の大きさが所定の設定値より大きい場合には、前記原稿収容手段からの原稿の取り忘れに対する警告を報知しないようにする制御を行う制御手段とを備えることを特徴とするものである。
【０００８】
請求項２に記載する原稿読取装置は、請求項１に記載する構成において、前記所定の設定値を、前記原稿収容手段に収容された原稿が、前記原稿読取手段による読み取り前の原稿が載置される原稿載置手段により隠れる大きさに基づいて定めた値とすることを特徴とするものである。
【０００９】
【発明の実施の形態】
ここでは、本発明に係る原稿読取装置１をコピー機能、ファクシミリ機能、プリンタ機能、及びスキャナ機能を備えた複合機に適用した場合の実施の形態について図面に基づいて説明する。図１は、本発明の実施形態に係る原稿読取装置１の全体の構成を示すブロック図であり、図２は、本発明の実施形態に係る原稿読取装置１の全体を示す概略断面図であり、図３は、本発明の実施形態に係る原稿読取装置１の原稿読取部２の近傍を示す斜視図である。以下、これらの図に基づいて本実施形態に係る原稿読取装置１の各部の構成について説明する。
【００１０】
図１及び図２に示すように、この原稿読取装置１は、原稿３の画像を走査してそれを画像データとして読み取る読取デバイス４、及びこの読取デバイス４による読み取り位置に原稿３を自動的に搬送する原稿自動供給装置（ＡＤＦ：Automatic Document Feeder）５を有する原稿読取部２と、この原稿読取部２で読み取られた画像データやファクシミリ受信した画像データ等を格納する画像メモリ６と、この画像メモリ６に対する画像データの書込み及び読出しやファクシミリ送受信等のために画像データの符号化及び復号を行なうコーデック（ＣＯＤＥＣ：Coder and Decoder）７と、原稿読取部２で読み取られた画像データやファクシミリ受信した画像データ等の画像を記録紙８上に記録する記録部９とを備えている。
【００１１】
また、この原稿読取装置１は、使用者が動作指示や設定等の入力を行なうための各種操作キーを有して構成される操作部１０と、読み取り後の原稿の取り忘れに対する警告や装置１の動作状態・設定状態等の各種情報を報知するための液晶表示画面１１、ＬＥＤランプ１２、及びスピーカ１３を有する報知部１４と、ファクシミリ送受信等の際に装置１を公衆電話交換網（ＰＳＴＮ）１５に接続するモデム１６及び網制御装置（ＮＣＵ）１７と、装置１をプリンタやスキャナとして用いるためにＬＡＮ１８を介してコンピュータ端末（ＰＣ）１９に接続するＬＡＮインターフェース２０と、これらの原稿読取装置１の各部の動作制御を行う制御部２１とを備えている。そして、これらの原稿読取装置１の各部は、バス２２を介してこの制御部２１のＭＰＵ（Microprocessing Unit）２３に接続されている。
【００１２】
ここで、原稿読取部２の読取デバイス４は、原稿３の画像を走査してそれを画像データとして読み取る装置であって、コピー機やファクシミリ装置等において一般的に用いられるものを使用することができ、具体的には、ＣＣＤを用いた電荷結合形イメージセンサ、あるいは密着形イメージセンサ等を使用することができる。そして、図２に示すように、この読取デバイス４は、原稿自動供給装置５により搬送される原稿３の画像を走査するために、原稿自動供給装置５による原稿３の搬送経路における原稿３の読み取り位置に設けられた透光板２４の下方に配置されており、この透光板２４上を搬送される原稿３の画像を下方から走査する構成となっている。また、この読取デバイス４は、水平方向に移動可能に設けられており、透光板２４に隣接して配置されているフラットベッド読取部２５の原稿載置板２６の下方において水平方向に移動しつつ、該原稿載置板２６上に載置された原稿３の画像の走査をも行う構成となっている。
【００１３】
また、図２及び図３に示すように、原稿読取部２の原稿自動供給装置５は、読取デバイス４による読み取り位置に原稿３を自動的に搬送する装置であって、コピー機やファクシミリ装置等において一般的に用いられるものを使用することができる。ここでは、読み取り前の原稿３ａが載置される原稿載置トレー２７と、この原稿載置トレー２７上に載置された原稿３を１枚ずつ分離して搬送する搬送機構２８と、この搬送機構２８による原稿３の搬送経路における原稿３の読み取り位置の手前に配置され、搬送経路を搬送される原稿３の始端及び終端を検出する原稿検出センサ２９と、画像を読み取った後に排出された原稿３ｂが収容される原稿排出トレー３０とを有して構成されている。そして、このような原稿読取部２における読取デバイス４及び原稿自動供給装置５の搬送機構２８が、本発明における原稿読取手段を構成する。また、この原稿載置トレー２７が、本発明における原稿載置手段を構成し、この原稿排出トレー３０が、本発明における原稿収容手段を構成する。
【００１４】
図２のＡ部拡大図である図４にも示すように、原稿自動供給装置５の搬送機構２８は、ここでは、原稿載置トレー２７から原稿３ａを１枚ずつ分離して搬送経路に取り込むピックアップローラ３１、このピックアップローラ３１により取り込まれた原稿３を所定の速度で搬送する搬送ローラ３２、原稿３の搬送経路の最下部における原稿３の読み取り位置に設けられた透光板２４、この透光板２４上を通過して読み取りが終了した後の原稿３を原稿排出トレー３０に排出する排出ローラ３３、これらのピックアップローラ３１、搬送ローラ３２、及び排出ローラ３３を駆動する図示しない駆動モータ等を有している。本実施形態においては、このような搬送機構２８の各ローラを駆動する駆動モータとしては、読み取り位置に対する原稿３の送り量を正確に制御するためにステッピングモータを用いることとしている。また、原稿検出センサ２９は、読取デバイス４による原稿３の読み取りの開始及び終了の動作制御を行うために、搬送機構２８による原稿３の搬送経路における原稿３の読み取り位置の手前、ここでは透光板２４の手前の位置に配置され、その位置において搬送経路を搬送される原稿３の始端及び終端を検出するセンサである。したがって、このような原稿検出センサ２９としては、所定の検出位置における原稿３の有無を検出することが可能なセンサが用いられ、例えば、反射形のフォトインタラプタ等の各種の光センサが好適に用いられる。
【００１５】
そして、原稿検出センサ２９により原稿３の始端を検出したときには、そこから駆動モータを所定ステップ回転させたところで原稿３の始端が読取デバイス４による原稿３の読み取り位置を通過するので、制御部２１は、駆動モータを当該所定ステップ回転させたと同時に読取デバイス４の動作を開始して原稿３の画像の読み取りを行う。次に、原稿検出センサ２９により原稿３の終端を検出したときには、そこから駆動モータを所定ステップ回転させたところで原稿３の終端が読取デバイス４による原稿３の読み取り位置を通過するので、制御部２１は、駆動モータを当該所定ステップ回転させたと同時に読取デバイス４の動作を終了し、更に駆動モータを所定ステップ回転させて読み取り後の原稿３が原稿排出トレー３０に排出された後に搬送機構２８の動作を停止させる。この際において、原稿検出センサ２９による検出位置から原稿３の読み取り位置までの距離は一定であるため、原稿検出センサ２９が原稿３の始端又は終端を検出したときから、その原稿３の始端又は終端が読取デバイス４による読み取り位置を通過するまでの駆動モータの回転するステップ数も一定となる。したがって、原稿検出センサ２９が原稿３の始端又は終端を検出したときから、制御部２１が読取デバイス４の動作を開始又は終了させるまでの駆動モータの回転するステップ数は、予め設定された一定のステップ数とされる。
【００１６】
また、本実施形態においては、原稿検出センサ２９は、原稿読取部２において画像を読み取った原稿３の大きさを検出する大きさ検出手段としても用いられる。すなわち、原稿検出センサ２９は、搬送機構２８により搬送される原稿３の始端及び終端を検出することから、制御部２１は、原稿３の始端が通過した時の原稿検出センサ２９からの出力信号と、原稿３の終端が通過した時の原稿検出センサ２９からの出力信号との間において駆動モータを回転させたステップ数を計測することにより、原稿３の始端から終端までを搬送するのに要する駆動モータのステップ数を検出することができる。したがって、この原稿３の始端から終端までを搬送するのに要する駆動モータのステップ数に基づいて、搬送ローラ３２の外周の移動距離を算出することにより、この搬送ローラ３２の外周に接して搬送される原稿３の搬送方向の長さを算出することができる。このような原稿３の搬送方向の長さの算出処理は制御部２１において行う。そして、制御部２１は、算出された原稿３の搬送方向の長さに基づいて、報知部１４により原稿３の取り忘れに対する警告を報知するか否かを決定する処理を行う。
【００１７】
なお、原稿読取部２において画像を読み取った原稿３の大きさを検出する大きさ検出手段の構成としては、このような原稿検出センサ２９を用いたものに限定されることはない。したがって、例えば、読取デバイス４により読み取った原稿３の画像データの走査線数に基づいて、その原稿３の副走査方向の長さ、すなわち原稿３の搬送方向の長さを検出する構成とすることも可能である。この場合、原稿３の大きさを検出する大きさ検出手段は、ＲＯＭ（Read Only Memory）３４に格納され、画像メモリ６内の原稿３の画像データから走査線数を読み出してその原稿３の搬送方向の長さを検出する処理をＭＰＵ２３に実行させる原稿の大きさ検出プログラム３５と読取デバイス４等により構成されることとなる。また、本実施形態においては、原稿３の取り忘れに対する警告を報知するか否かの判断の基準となる原稿３の大きさに関して、原稿３の搬送方向の長さのみを取り扱うこととしているが、これに限定されるものではなく、原稿３の搬送方向に直交する方向の長さ等の原稿３の他の部分の大きさについても、別途センサ等により検出する構成とし、当該検出された大きさを原稿３の取り忘れに対する警告を報知するか否かの判断の基準とすることも当然に可能である。
【００１８】
報知部１４は、装置１の動作状態や設定状態等の各種情報を使用者に対して報知し、あるいは、所定の場合に、前述の原稿読取部２における読み取り後の原稿の取り忘れに対する警告を報知する。この報知部１４が、本発明における報知手段を構成する。そのため、本実施形態においては、図１に示すように、報知部１４は、液晶表示画面１１、ＬＥＤランプ１２、及びスピーカ１３を有して構成されている。そして、これらの報知部１４の各構成により読み取り後の原稿の取り忘れに対する警告を報知する際の具体的な動作としては、液晶表示画面１１に「原稿をお取りください」等の所定の警告メッセージを表示し、若しくは、ＬＥＤランプ１２の中の所定の警告灯を点灯し、若しくは、スピーカ１３から所定の警告音を発し、又は、これらを複合した動作等がある。なお、読み取り後の原稿の取り忘れに対する警告を報知する際の動作はこれらに限定されるものではなく、これらの動作以外にも、例えば、ＬＡＮ１８を介して電子メール等によりコンピュータ端末１９に対して警告メッセージを送信する動作等とすることも可能である。
【００１９】
制御部２１は、上述した原稿読取装置１の各部の動作制御を行う部分であり、この制御部２１が本発明における制御手段を構成する。本実施形態においては、図１に示すように、制御部２１は、ＭＰＵ２３と、ＲＯＭ３４と、ＲＡＭ（Random Access Memory）３６とを有して構成されている。ここで、ＭＰＵ２３は、バス２２を介して原稿読取部２を構成する各部と接続されており、これらの各部の動作制御を行なう演算処理回路である。
【００２０】
ＲＯＭ３４はＭＰＵ２３の動作に必要な各種の動作プログラム等を記憶するメモリである。このＲＯＭ３４に記憶される動作プログラムには、原稿の大きさ検出プログラム３５と、警告報知プログラム３７とが含まれる。ここで、原稿の大きさ検出プログラム３５は、原稿読取部２により画像を読み取った原稿３の大きさを検出する処理をＭＰＵ２３に実行させるためのプログラムであり、本実施形態においては、原稿検出センサ２９からの出力信号と駆動モータの回転したステップ数とに基づいて原稿３の搬送方向の長さを検出するプログラムとしている。具体的には、上述の通り、原稿３の始端が通過した時の原稿検出センサ２９からの出力信号と、原稿３の終端が通過した時の原稿検出センサ２９からの出力信号との間において駆動モータを回転させたステップ数を計測することにより、原稿３の始端から終端までを搬送するのに要する駆動モータのステップ数を検出し、そのステップ数に基づいて、搬送ローラ３２の外周の移動距離を算出することにより、原稿３の搬送方向の長さを検出する処理を行う。なお、読み取り後の原稿３の大きさを検出する処理として、読取デバイス４により読み取った原稿３の画像データの走査線数に基づいて、その原稿３の副走査方向の長さ、すなわち原稿３の搬送方向の長さを検出する処理を行う場合には、この原稿の大きさ検出プログラム３５は、画像メモリ６に格納された原稿３の画像データから走査線数を読み出してその原稿３の搬送方向の長さを検出する処理をＭＰＵ２３に実行させるプログラムとなる。
【００２１】
また、警告報知プログラム３７は、原稿３の大きさが所定の警告設定値３８以下である場合に、原稿排出トレー３０からの原稿３の取り忘れに対する警告を報知部１４により報知する処理をＭＰＵ２３に実行させるためのプログラムである。ここで、原稿３の大きさに関する警告設定値３８としては、原稿読取装置１の使用者により予め設定されてＲＡＭ３６に格納された値を用いることとする。なお、この警告報知プログラム３７に従って動作する際の動作処理については、後にフローチャートを用いて詳細に説明する。
【００２２】
ＲＡＭ３６は原稿読取装置１の動作の実行に伴って取得された各種データ等を一時的に記憶するメモリである。このＲＡＭ３６に記憶されるデータ等には、警告設定値３８と、報知時間設定値３９とが含まれる。ここで、警告設定値３８とは、ＭＰＵ２３が、原稿排出トレー３０からの原稿３の取り忘れに対する警告を報知するか否かを判断する際の基準となる原稿３の大きさを定めた設定値であって、原稿読取部２において画像が読み取られた原稿３の大きさが、この警告設定値３８以下である場合に原稿排出トレー３０からの原稿３の取り忘れに対する警告を報知部１４により報知する処理が行われる。この警告設定値３８は、使用者が任意の値を設定することが可能であるが、ここでは、原稿排出トレー３０に収容された原稿３ｂが、原稿載置トレー２７により隠れる大きさに基づいて定めた値とすると好適である。すなわち、図２及び図３に示す本実施形態に係る原稿読取装置１のように、原稿自動供給装置５の構成として、原稿排出トレー３０の上方に原稿載置トレー２７が配置される場合には、原稿排出トレー３０の多くの部分が原稿載置トレー２７の下に隠れるような配置構成となる場合が多い。このような場合であっても、原稿３の大きさが大きい場合にはほとんど問題とならないが、原稿３の大きさが小さい場合には、原稿排出トレー３０に収容された原稿３ｂが、原稿載置トレー２７の下に隠れて使用者から見えにくい状態となり易い。したがって原稿３の大きさが原稿載置トレー２７により隠れる程に小さい場合には、使用者が読み取り後の原稿を取り忘れる可能性が高いので、原稿３の取り忘れに対する警告を報知部１４により報知するように警告設定値３８を設定すると好適である。また、本実施形態においては、原稿３の大きさとして原稿３の搬送方向の長さを検出し、その長さに基づいて原稿３の取り忘れに対する警告を報知するか否かを決定することから、警告設定値３８としても、原稿３の搬送方向の長さについての値を設定するのが好適である。
【００２３】
また、報知時間設定値３９とは、報知部１４により原稿３の取り忘れに対する警告の報知を行う時間を定めた設定値である。すなわち、報知部１４が一旦原稿３の取り忘れに対する警告の報知を開始した後は、ＭＰＵ２３は、この報知時間設定値３９に定める時間が経過するまでその報知を継続して行い、報知時間設定値３９に定める時間が経過した時にその報知を終了する。
【００２４】
次に、本発明の実施形態に係る原稿読取装置１により原稿排出トレー３０からの原稿３の取り忘れに対する警告を報知する際の動作処理について、図５に示すフローチャートに基づいて説明する。なお、このフローチャートに示す原稿読取装置１の各部の動作は、ＲＯＭ３４に記憶されている警告報知プログラム３７等に従ってＭＰＵ２３の制御の下に行なわれる。
【００２５】
まず、原稿載置トレー２７に原稿３ａが載置された状態で、原稿３ａの画像の読み取り開始の指示がなされたか否かについて判断する（Ｓ１）。この判断は、操作部１０においてスタートキー等の所定の操作キーが押されることにより使用者から読み取り開始の指示が入力されたか否かにより行う。原稿３ａの画像の読み取り開始の指示がなされていない場合には（Ｓ１：ＮＯ）、そのまま待機する。そして、原稿３ａの画像の読み取り開始の指示がなされた場合には（Ｓ１：ＹＥＳ）、原稿読取部２の読取デバイス４及び原稿自動供給装置５の動作を開始し、原稿３の画像を画像データとして読み取る（Ｓ２）。その後、原稿３の読み取りが終了したか否かについて判断する（Ｓ３）。原稿３の読み取りが終了していない場合には（Ｓ３：ＮＯ）、そのまま継続して原稿３の読み取りを行う（Ｓ２）。そして、原稿３の読み取りが終了した場合には（Ｓ３：ＹＥＳ）、次に、読み取った原稿３の大きさを検出する（Ｓ４）。この際、原稿３が複数枚ある場合は、すべてのページについてそれぞれ大きさの検出を行なう。本実施形態においては、原稿３の大きさの検出は、上述の通り、原稿の大きさ検出プログラム３５に従い、原稿検出センサ２９からの出力信号と駆動モータの回転したステップ数とに基づいて原稿３の搬送方向の長さを検出することにより行う。
【００２６】
その後、処理Ｓ４において検出された原稿３の大きさが、ＲＡＭ３６に記憶されている警告設定値３８以下であるか否かについて判断する（Ｓ５）。この際、読み取った原稿３が複数枚ある場合であってその原稿３の各ページの大きさが同一でない場合には、読み取った原稿３の中に１枚でも警告設定値３８以下のものがあれば、原稿３の大きさが警告設定値３８以下である（Ｓ５：ＹＥＳ）と判断することとする。そして、検出された原稿３の大きさが警告設定値３８より大きい場合には（Ｓ５：ＮＯ）、原稿３が大きく、原稿排出トレー３０上における読み取り後の原稿の有無が使用者に一目で分かることから、原稿３の取り忘れに対する警告を報知する必要はない。したがって、処理はそのまま終了する。一方、検出された原稿３の大きさが警告設定値３８以下である場合には（Ｓ５：ＹＥＳ）、原稿３の大きさが原稿載置トレー２７により隠れる程に小さく、使用者が読み取り後の原稿を取り忘れる可能性が高いので、原稿３の取り忘れに対する警告を報知部１４により報知する（Ｓ６）。また、上述通り、複数枚の原稿３の中の１枚でも警告設定値３８以下のものがあれば、原稿３の大きさが警告設定値３８以下である（Ｓ５：ＹＥＳ）と判断して原稿３の取り忘れに対する警告を報知部１４により報知する（Ｓ６）ので、使用者が大きさの大小が混在する原稿３の中の小さい原稿３を取り忘れないように警告することができる。その後、警告の報知が開始されてから、ＲＡＭ３６に記憶されている報知時間設定値３９の設定時間が経過したか否かについて判断する（Ｓ７）。報知時間設定値３９の設定時間が経過していない場合には（Ｓ７：ＮＯ）、その設定時間が経過するまで継続して原稿３の取り忘れに対する警告の報知を行う（Ｓ６）。そして、報知時間設定値３９の設定時間が経過した場合には（Ｓ７：ＹＥＳ）、原稿３の取り忘れに対する警告の報知を終了し（Ｓ８）、処理は終了する。
【００２７】
次に、本発明の第２の実施形態に係る原稿読取装置１について説明する。この第２の実施形態に係る原稿読取装置１は、図示は省略するが、画像を読み取った後に原稿排出トレー３０に排出された原稿３ｂの有無を検出する排出原稿検出センサを備えた構成となっている。この排出原稿検出センサは、画像が読み取られた後に原稿排出トレー３０に原稿３があるか否かに基づいて、読み取り後の原稿３の取り忘れに対する警告の報知を行うか否かを判断するために用いられるセンサである。そして、この第２の実施形態に係る原稿読取装置１は、原稿３の大きさが所定の警告設定値３８以下である場合であって、なおかつ原稿排出トレー３０上に原稿３が存在する場合にのみ原稿３の取り忘れに対する警告を報知し、更に、排出原稿検出センサが原稿排出トレー３０上の原稿３を検出しなくなったときに、その警告の報知を終了する処理を行う。そこで、以下に、この第２の実施形態に係る原稿読取装置１により原稿排出トレー３０からの原稿３の取り忘れに対する警告を報知する際の動作処理について、図６に示すフローチャートに基づいて説明する。なお、このフローチャートに示す原稿読取装置１の各部の動作は、ＲＯＭ３４に記憶されている警告報知プログラム３７等に従ってＭＰＵ２３の制御の下に行なわれる。
【００２８】
処理Ｓ１からＳ５までの動作処理については、前述の第1の実施形態と同様であるため、説明を省略する。そして、処理Ｓ４において検出された原稿３の大きさが警告設定値３８以下である場合には（Ｓ５：ＹＥＳ）、次に、排出原稿検出センサが原稿排出トレー３０上において原稿３ｂを検出しているか否かについて判断する（Ｓ１１）。排出原稿検出センサが原稿排出トレー３０上において原稿３ｂを検出していない場合には（Ｓ１１：ＮＯ）、読み取り後に排出された原稿３ｂは既に原稿排出トレー３０から取り去られたものと判断することができるので、原稿３の取り忘れに対する警告の報知は行わず、そのまま処理は終了する。一方、排出原稿検出センサが原稿排出トレー３０上において原稿３ｂを検出している場合には（Ｓ１１：ＹＥＳ）、読み取り後に排出された原稿３ｂはいまだ取り去られずに原稿排出トレー３０上にあると判断することができるので、原稿３の取り忘れに対する警告を報知部１４により報知する（Ｓ１２）。
【００２９】
その後、排出原稿検出センサが原稿排出トレー３０上において原稿３ｂを検出しなくなったか否かについて判断する（Ｓ１３）。排出原稿検出センサが原稿排出トレー３０上において原稿３ｂを検出している場合には（Ｓ１３：ＮＯ）、読み取り後に排出された原稿３ｂはいまだ取り去られずに原稿排出トレー３０上にあると判断することができるので、継続して原稿３の取り忘れに対する警告を報知部１４により報知する（Ｓ１２）。そして、排出原稿検出センサが原稿排出トレー３０上において原稿３ｂを検出しなくなった場合には（Ｓ１３：ＹＥＳ）、原稿３ｂが原稿排出トレー３０から取り去られたものと判断することができるので、原稿３の取り忘れに対する警告の報知を終了し、処理は終了する。
【００３０】
このように、本発明に係る原稿読取装置１は、前述の第1の実施形態のように、原稿収容手段を構成する原稿排出トレー３０に読み取り後の原稿３の有無を検出するセンサを設けないことを可能にするものであるが、そのようなセンサを設けた構成を排除するものではなく、この第２の実施形態のように、原稿収容手段を構成する原稿排出トレー３０に読み取り後の原稿３の有無を検出する排出原稿検出センサを設けた構成とすることも当然に可能である。
【００３１】
【発明の効果】
以上説明したように、本発明の請求項１に係る原稿読取装置によれば、原稿読取手段において画像を読み取った原稿の大きさを検出し、その原稿の大きさが所定の設定値以下である場合に、前記原稿収容手段からの原稿の取り忘れに対する警告を報知手段により報知する制御を行うことにより、読み取り後の原稿が原稿収容手段に存在するか否かを検出する必要がない。したがって、読み取り後の原稿を収容する原稿収容手段にセンサ等を設けない構成とすることが可能となる。また、原稿の大きさが所定の設定値より大きい場合には、原稿の取り忘れに対する警告の報知を行わないので、原稿収容手段に収容された原稿の有無が一目でわかるような場合にまで警告を報知するような無駄な報知を行わないようにすることができる。
【００３２】
本発明の請求項２に係る原稿読取装置によれば、上述の効果に加えて、前記所定の設定値を、前記原稿収容手段に収容された原稿が、前記原稿読取手段による読み取り前の原稿が載置される原稿載置手段により隠れる大きさに基づいて定めた値とすることにより、原稿の大きさが原稿載置手段により隠れる程に小さいために、使用者が読み取り後の原稿を取り忘れる可能性が高い場合にのみ原稿の取り忘れに対する警告を報知するようにすることができる。
【図面の簡単な説明】
【図１】本発明の実施形態に係る原稿読取装置の全体の構成を示すブロック図である。
【図２】本発明の実施形態に係る原稿読取装置の全体を示す概略断面図である。
【図３】本発明の実施形態に係る原稿読取装置の原稿読取部の近傍を示す斜視図である。
【図４】図２のＡ部拡大図である。
【図５】本発明の第１の実施形態に係る原稿読取装置により原稿の取り忘れに対する警告を報知する際の動作処理を示すフローチャートである。
【図６】本発明の第２の実施形態に係る原稿読取装置により原稿の取り忘れに対する警告を報知する際の動作処理を示すフローチャートである。
【符号の説明】
１  原稿読取装置
２  原稿読取部
３  原稿
４  読取デバイス
５  原稿自動供給装置
１４  報知部
２１  制御部
２３  ＭＰＵ
２７  原稿載置トレー
２８  搬送機構
２９  原稿検出センサ
３０  原稿排出トレー
３４  ＲＯＭ
３５  原稿の大きさ検出プログラム
３６  ＲＡＭ
３７  警告報知プログラム
３８  警告設定値
３９  報知時間設定値
【図１】
0003714319.tif 000002
【図２】
0003714319.tif 000003
【図３】
0003714319.tif 000004
【図４】
0003714319.tif 000005
【図５】
0003714319.tif 000006
【図６】
0003714319.tif 000007